(57)【要約】【課題】非撮影状態での破損と誤操作を確実にしかも簡単な構成で防止する。【解決手段】カメラ操作部９を鏡胴４の側面に設ける。鏡胴４は、テレビジョンカメラ本体２の内部にカメラ操作部９が入り込んだ鏡胴収納状態とカメラ操作部９がテレビジョンカメラ本体２から露出する鏡胴撮影状態との間で移動可能にテレビジョンカメラ本体２に設ける。さらに、鏡胴４の鏡胴撮影状態への移動に連動してテレビジョンカメラ本体２の駆動電源を入操作する一方、鏡胴４の鏡胴収納状態への移動に連動してテレビジョンカメラ本体２の駆動電源を切操作する電源操作部８を設ける。【選択図】  図１
2004309712.tif 000002
【特許請求の範囲】
【請求項１】
テレビジョンカメラ本体と、カメラ操作部と、鏡胴と、電源操作部とを備え、
前記カメラ操作部は前記鏡胴の周面に設けられ、
前記鏡胴は、前記テレビジョンカメラ本体の内部に前記カメラ操作部が入り込んだ鏡胴収納状態と前記カメラ操作部が前記テレビジョンカメラ本体から露出する鏡胴撮影状態との間で移動可能に前記テレビジョンカメラ本体に設けられ、
前記電源操作部は、前記鏡胴の前記鏡胴撮影状態への移動に連動して前記テレビジョンカメラ本体の駆動電源を入操作する一方、前記鏡胴の前記鏡胴収納状態への移動に連動して前記テレビジョンカメラ本体の駆動電源を切操作するものである、
ことを特徴とするテレビジョンカメラ。
【請求項２】
テレビジョンカメラ本体と、カメラ操作部と、鏡胴と、鏡胴移動機構とを備え、
前記カメラ操作部は前記鏡胴の周面に設けられ、
前記鏡胴は、前記テレビジョンカメラ本体の内部に前記カメラ操作部が入り込んだ鏡胴収納状態と前記カメラ操作部が前記テレビジョンカメラ本体から露出する鏡胴撮影状態との間で移動可能に前記テレビジョンカメラ本体に設けられ、
前記鏡胴移動機構は、前記テレビジョンカメラ本体への電源供給が開始される時点で前記鏡胴を前記鏡胴収納状態から前記鏡胴撮影状態に移動させる一方、前記テレビジョンカメラ本体への電源供給が停止される時点で前記鏡胴を前記鏡胴撮影状態から前記鏡胴収納状態に移動させる機構である、
ことを特徴とするテレビジョンカメラ。
【請求項３】
請求項１または２に記載のテレビジョンカメラにおいて、
前記カメラ操作部は、
前記鏡胴の周面に沿って操作移動可能に設けられた操作リングと、
前記操作リングを当該テレビジョンカメラの焦点位置移動操作に連動させる状態と、前記操作リングを当該テレビジョンカメラの露出調整操作に連動させる状態との間で切り替える切換操作器と、
を備えるものである、
ことを特徴とするテレビジョンカメラ。
【請求項４】
請求項３に記載のテレビジョンカメラにおいて、
前記鏡胴は遮光環体を有し、この遮光環体は、その軸方向両端が前記鏡胴上に重ねられた遮光環体収納状態とその軸方向一端が前記鏡胴から前記テレビジョンカメラ本体の外側に向けて突出する遮光環体撮影状態との間で移動可能に前記鏡胴に外嵌されており、
かつ、前記遮光環体は、前記遮光環体撮影状態において前記操作リングに鏡胴周面に沿って連動可能に連結される回動連結部を有している、
ことを特徴とするテレビジョンカメラ。
【請求項５】
請求項２に記載のテレビジョンカメラにおいて、
前記カメラ操作部は、
前記鏡胴の周面に沿って操作移動可能に設けられた操作リングと、
前記操作リングを当該テレビジョンカメラの焦点位置移動操作に連動させる状態と前記操作リングを当該テレビジョンカメラの露出調整操作に連動させる状態との間で切り替える切換操作器とを備え、
前記鏡胴は遮光環体を有し、この遮光環体は、その軸方向両端が前記鏡胴上に重ねられた遮光環体収納状態とその軸方向一端が前記鏡胴から前記テレビジョンカメラ本体の外側に向けて突出する遮光環体撮影状態との間で移動可能に前記鏡胴に外嵌され、かつ、この遮光環体は、前記遮光環体撮影状態において前記操作リングに鏡胴周面に沿って連動可能に連結される回動連結部を有し、
前記鏡胴移動機構は、前記テレビジョンカメラ本体への電源供給が開始される時点で前記遮光環体を前記遮光環体収納状態から前記遮光環体撮影状態に移動させる一方、前記テレビジョンカメラ本体への電源供給が停止される時点で前記遮光環体を前記遮光環体撮影状態から前記遮光環体収納状態に移動させる機構である、
ことを特徴とするテレビジョンカメラ。
【発明の詳細な説明】
【０００１】
【発明の属する技術分野】
本発明は、テレビジョンカメラの鏡胴収納構造に関する。
【０００２】
【従来の技術】
一般に、テレビジョンカメラは、テレビジョンカメラ本体と、鏡胴（レンズ筒）と、カメラ操作部とを備えて構成されている。鏡胴はテレビジョンカメラから突出して設けられている。カメラ操作部は、一般に、操作性を考慮してテレビジョンカメラ本体の表面に露出する状態で配置される。（特許文献１参照）
【０００３】
【特許文献１】
特開平１１−１２２５２７号公報
【０００４】
【発明が解決しようとする課題】
鏡胴は、テレビジョンカメラ本体から突出した状態で取り付けられている。そのため、テレビジョンカメラを使用しない状態で取り回す際における形状が大きくなるうえに、突出する鏡胴がテレビジョンカメラ周囲の他の部材に衝突して破損する恐れがある。
【０００５】
また、カメラ操作部がテレビジョンカメラ本体から露出しているために、撮影しない状態で取り回す際に誤操作を受けやすい。例えば、アイリスの操作部において撮影を停止する直前の設定（絞り値Ｘ）が取り回し中の誤操作により異なる設定（絞り値Ｙ）に変更になったとしても、撮影者は直前の設定がそのまま継続していると判断して次の撮影を開始してしまう可能性がある。しかしながら、そうすると、意図通りの撮影を行うことは困難となる。
【０００６】
このような誤操作を防止するためには、カメラ操作部を移動自在に覆う構造を設けることが考えられる。しかしながら、そうすると、テレビジョンカメラの構造が複雑になるうえに、次のような不具合が生じる。この場合、撮影者は、撮影しない状態で取り回す際においてカメラ操作部を覆うように上記構造を自発的に動かし、撮影する状態になると、カメラ操作部から除去するように上記構造を自発的に動かす必要がある。このような操作は、撮影者にとって面倒な操作となるばかりか、上記操作を怠れば、上記構造を設けたにも拘わらず誤操作防止効果を享受することができない。
【０００７】
【課題を解決するための手段】
上述した課題を解決するためには、本発明の第１はテレビジョンカメラを次のように構成する。本発明の第１のテレビジョンカメラは、テレビジョンカメラ本体と、カメラ操作部と、鏡胴と、電源操作部とを備えている。前記カメラ操作部は前記鏡胴の周面に設けられている。前記鏡胴は、前記テレビジョンカメラ本体の内部に前記カメラ操作部が入り込んだ鏡胴収納状態と前記カメラ操作部が前記テレビジョンカメラ本体から露出する鏡胴撮影状態との間で移動可能に前記テレビジョンカメラ本体に設けられている。
【０００８】
前記電源操作部は、前記鏡胴の前記鏡胴撮影状態への移動に連動して前記テレビジョンカメラ本体の駆動電源を入操作する一方、前記鏡胴の前記鏡胴収納状態への移動に連動して前記テレビジョンカメラ本体の駆動電源を切操作するものである。
【０００９】
本発明の第１は次のように作用する。撮影者が鏡胴を鏡胴収納状態から鏡胴撮影状態に移動させると、電源操作部によりテレビジョンカメラ本体の駆動電源が自動的に入操作される。このとき、鏡胴の周面に設けられたカメラ操作部はテレビジョンカメラ本体から露出するため、撮影者はカメラ操作部を操作することが可能となる。一方、撮影者が鏡胴を鏡胴撮影状態から鏡胴収納状態に移動させると、電源操作部によりテレビジョンカメラ本体の駆動電源は自動的に切操作される。このとき、鏡胴の周面に設けられたカメラ操作部はテレビジョンカメラ本体内部に入り込むため、撮影者はカメラ操作部を操作することが不可能となる。
【００１０】
本発明の第２は、テレビジョンカメラ本体と、カメラ操作部と、鏡胴と、鏡胴移動機構とを備えている。前記カメラ操作部は前記鏡胴の周面に設けられている。前記鏡胴は、前記テレビジョンカメラ本体の内部に前記カメラ操作部が入り込んだ鏡胴収納状態と前記カメラ操作部が前記テレビジョンカメラ本体から露出する鏡胴撮影状態との間で移動可能に前記テレビジョンカメラ本体に設けられている。
【００１１】
前記鏡胴移動機構は、前記テレビジョンカメラ本体への電源供給が開始される時点で前記鏡胴を前記鏡胴収納状態から前記鏡胴撮影状態に移動させる一方、前記テレビジョンカメラ本体への電源供給が停止される時点で前記鏡胴を前記鏡胴撮影状態から前記鏡胴収納状態に移動させる機構である。
【００１２】
本発明の第２は次のように作用する。テレビジョンカメラ本体への電源供給が開始されると、その時点で鏡胴移動機構は、鏡胴を鏡胴収納状態から鏡胴撮影状態へと自動的に移動させる。このとき、鏡胴の周面に設けられたカメラ操作部はテレビジョンカメラ本体から露出するため、撮影者はカメラ操作部を操作することが可能となる。一方、テレビジョンカメラ本体への電源供給が停止されると、その時点で鏡胴移動機構は、鏡胴を鏡胴撮影状態から鏡胴収納状態へと自動的に移動させる。このとき、鏡胴の周面に設けられたカメラ操作部はテレビジョンカメラ本体内部に入り込むため、撮影者はカメラ操作部を操作することが不可能となる。
【００１３】
本発明の第１，第２において前記カメラ操作部は、前記鏡胴の周面に沿って操作移動可能に設けられた操作リングと、前記操作リングを当該テレビジョンカメラの焦点位置移動操作に連動させる状態と、前記操作リングを当該テレビジョンカメラの露出調整操作に連動させる状態との間で切り替える切換操作器とを備えるものであるのが好ましい。
【００１４】
このように構成すれば、テレビジョンカメラにおいて汎用される焦点移動操作と露出調整操作とを行うカメラ操作部において、未撮影時の誤操作を防止することが可能となる。また、テレビジョンカメラ等においては、焦点位置移動操作と露出調整操作とは、従来から共に鏡胴等に設けられた操作リングにより行われることが多い。そのため、これらの操作を同一の操作リングで行うように設定したうえで、それらの操作の切換を切換操作器で行うようにすることで、撮影者にとって手馴れた従前の操作手順のままで、焦点位置移動操作と露出調整操作とを切り換えつつ操作することが可能となる。
【００１５】
この場合、次のように構成するのがさらに好ましい。前記鏡胴は遮光環体を有している。遮光環体は、その軸方向両端が前記鏡胴上に重ねられた遮光環体収納状態とその軸方向一端が前記鏡胴から前記テレビジョンカメラ本体の外側に向けて突出する遮光環体撮影状態との間で移動可能に前記鏡胴に外嵌されている。前記遮光環体は、前記遮光環体撮影状態において前記操作リングに鏡胴周面に沿って連動可能に連結される回動連結部を有している。
【００１６】
このように構成すれば、遮光環体によりカメラ操作部の操作を行うことが可能となる。一般に、鏡胴の周面の面積は限られている。そのため、鏡胴に遮光環体を設けると、その分、鏡胴の側面に設けたカメラ操作部に対する操作性が悪化することが危惧される。これに対して、遮光環体をカメラ操作部に連動させれば、鏡胴に遮光環体を設けるにも拘わらず、カメラ操作部に対する操作性を維持することが可能となる。
【００１７】
なお、本発明は、次のように構成するのが好ましい。前記カメラ操作部は、前記鏡胴の周面に沿って操作移動可能に設けられた操作リングと、前記操作リングを当該テレビジョンカメラの焦点位置移動操作に連動させる状態と前記操作リングを当該テレビジョンカメラの露出調整操作に連動させる状態との間で切り替える切換操作器とを備えている。
【００１８】
前記鏡胴は遮光環体を有し、この遮光環体は、その軸方向両端が前記鏡胴上に重ねられた遮光環体収納状態とその軸方向一端が前記鏡胴から前記テレビジョンカメラ本体の外側に向けて突出する遮光環体撮影状態との間で移動可能に前記鏡胴に外嵌され、かつ、この遮光環体は、前記遮光環体撮影状態において前記操作リングに鏡胴周面に沿って連動可能に連結される回動連結部を有している。
【００１９】
前記鏡胴移動機構は、前記テレビジョンカメラ本体への電源供給が開始される時点で前記遮光環体を前記遮光環体収納状態から前記遮光環体撮影状態に移動させる一方、前記テレビジョンカメラ本体への電源供給が停止される時点で前記遮光環体を前記遮光環体撮影状態から前記遮光環体収納状態に移動させる機構である。
【００２０】
このように構成すれば、遮光環体によりカメラ操作部の操作を行うことが可能となる。また、操作面積の限られている鏡胴に遮光環体を設けるにも拘わらず、遮光環体をカメラ操作部に連動させることで、カメラ操作部に対する操作性を高く維持することが可能となる。さらには、鏡胴に対する遮光環体の収納動作を鏡胴移動機構により行うので、撮影者に面倒な操作を強要することなく鏡胴に対する遮光環体の出し入れ操作（収納状態／操作状態）を確実にすることができる。
【００２１】
【発明の実施の形態】
第１の実施形態
図１は、本発明の第１の実施形態のテレビジョンカメラの側面図であり、図１（ａ）は鏡胴収納状態を示し、図１（ｂ）は鏡胴撮影状態を示す。図２は第１の実施の形態のテレビジョンカメラの操作状態をそれぞれ示す図であり、図２（ａ）は鏡胴収納状態を示し、図２（ｂ）は第１の鏡胴撮影状態を示し、図２（ｃ）は第２の鏡胴撮影状態を示す。
【００２２】
このテレビジョンカメラ１は、テレビジョンカメラ本体２と、レンズ（図示省略）が格納された鏡胴４と、ビデオカセットテープＶが格納されるテープ格納部５と、ファインダ６と、液晶モニタ７と、電源操作部８と、カメラ操作部９と、本体制御部１４とを備えている。
【００２３】
テレビジョンカメラ１は、レンズを通して光電変換部（図示省略）に入力された映像を映像信号に変換したうえで、その映像信号を記録媒体であるビデオカセットテープＶに記録する。なお、記録媒体としては、デジタルビデオテープＶの他、ディスクやメモリカードといった他の記録媒体であってもよいのはいうまでもない。さらに、記録する映像信号を必要に応じて映像に変換して液晶モニタ７やファインダ６に表示する。液晶モニタ７は、テレビジョンカメラ本体２に対して開閉自在に取り付けられている。これにより、液晶モニタ７は、表示面をテレビジョンカメラ本体２に収めた収納状態（閉状態）と、表示面をテレビジョンカメラ本体２から露出させた表示状態（開状態）とを切り換えることが可能となっている。ファインダ６は、テレビジョンカメラ本体２に対して回動可能に取り付けられている。これにより、ファインダ６は、表示面をテレビジョンカメラ本体２に収めた収納状態と、表示面をテレビジョンカメラ本体２から露出させた表示状態とを切り換えることが可能となっている。
【００２４】
本体制御部１４は、テレビジョンカメラ１の各種の動作制御を行う制御部である。
【００２５】
カメラ操作部９は鏡胴４の周面に設けられている。カメラ操作部９は、操作リング９ａと切換操作器９ｂとを備えている。鏡胴４は円筒形状をしており、テレビジョンカメラ本体２に対して、テレビジョンカメラ本体２の内部にカメラ操作部９が入り込んだ鏡胴収納状態とカメラ操作部９がテレビジョンカメラ本体２から露出する鏡胴撮影状態との間で移動可能にテレビジョンカメラ本体２に取り付けられている。鏡胴収納状態において、鏡胴４は、テレビジョンカメラ本体２の表面から突出することなく、その内部に収納された状態となる。鏡胴収納時、鏡胴４はその先端面がテレビジョンカメラ本体２の表面とほぼ面一となる位置までテレビジョンカメラ本体２内に後退する。
【００２６】
カメラ操作部９は、鏡胴４が鏡胴収納状態までテレビジョンカメラ本体２に対して後退した状態では、テレビジョンカメラ本体２内に入り込んで操作不能となる。一方、鏡胴４が鏡胴撮影状態までテレビジョンカメラ本体２に対して前進した状態では、テレビジョンカメラ本体２から露出して操作可能となる。
【００２７】
電源操作部８は、鏡胴４の周面に設けられた第１の接点８ａと、鏡胴４が鏡胴収納状態に位置する状態で第１の接点８ａに接触する第２の接点８ｂと、第１，第２の接点が接して両接点８ａ，８ｂの間で電気的導通が可能となったことを検出して、その導通情報を本体制御部１４に報知する電源操作部本体８ｃとを備えている。
【００２８】
操作リング９ａは遮光環体１０と操作リング本体１１とを備えている。遮光環体１０は、鏡胴４に回転可能に外嵌されている。操作リング本体１１は鏡胴４に外嵌装着されている。操作リング本体１１は鏡胴４に、その軸方向に移動不能にかつその周方向に沿って回転可能に装着されている。
【００２９】
遮光環体１０の内面には第１の噛み合い溝１２が設けられている。操作リング本体１１の外周面には第２の噛み合い溝１３が設けられている。第１の噛み合い溝１１と第２の噛み合い溝１３とは互いに噛み合っており、これにより遮光環体１０と操作リング本体１１とは互いに鏡胴４の周方向に回転可能に連動連結されている。ただし、遮光環体１０は、第１，第２の噛み合い溝１２，１３の連動連結に拘わらず、操作リング本体１１に対して鏡胴４の軸方向に相対移動可能となっている。具体的には遮光環体１０は、その軸方向両端が鏡胴４上に重ねられた遮光環体収納状態とその軸方向一端が鏡胴４からテレビジョンカメラ本体２の外側に向けて突出する遮光環体撮影状態との間で移動可能に鏡胴４に外嵌されている。遮光環体撮影状態において遮光環体１０は、鏡胴４の先端から突出配置されることで、不用光が鏡胴４内に入り込むことを防止する。本実施形態では、第１，第２の噛み合い溝１２，１３から回動連結部が構成されている。
【００３０】
操作リング本体１１は、その回転位置情報を本体制御部１４に出力する。操作リング本体１１は遮光環体１０と回転一体となっているため、遮光環体１０の回転位置情報が本体制御部に出力されることになる。
【００３１】
切換操作器９ｂは、操作リング９ａの操作を切り換える機能スイッチである。具体的にいえば、切換操作器９ｂは、操作リング９ａをテレビジョンカメラ１の焦点位置移動操作に連動させる状態と、操作リング９ａをテレビジョンカメラ１の露出調整操作に連動させる状態との間で切り換える第１の切換スイッチ９ｂ１を備えている。さらに切換操作器９ｂは、焦点位置移動操作時においてその焦点位置移動操作を自動化する状態（オートフォーカス状態）と、手動化する状態（マニュアルフォーカス状態）とを切り換える第２の切換スイッチ９ｂ２を備えている。操作リング９ａが出力する機能調整信号と切換操作器９ｂが出力する操作切換信号とは、本体制御部１４に出力される。本体制御部１４はこれらの信号に基づいて映像に関する機能調整（焦点位置調整，露出調整）や操作リング９ａの機能切換操作を実施する。
【００３２】
第１の切換スイッチ９ｂ１により露出調整操作が選択された状態において操作リング９ａの回転位置情報は、露出調整値を示す情報（絞り値やシャッタスピード値の調整）として本体制御部１４で取り扱われる。
【００３３】
第１の切換スイッチ９ｂ１により焦点位置調整操作が選択された状態において操作リング９ａの回転位置情報は、焦点位置移動値を示す情報として本体制御部１４で取り扱われる。ただし、このような制御は、第２の切換スイッチ９ｂ２により手動焦点位置操作が選択された場合のみ有効となり、第２の切換スイッチ９ｂ２により自動焦点位置操作が選択された場合には無効となる。
【００３４】
以下、テレビジョンカメラ１による鏡胴４の移動操作を説明する。撮影状態においては、鏡胴４がテレビジョンカメラ本体２から前進した鏡胴撮影状態となっており、電源操作部８においては、第１の接点８ａと第２の接点８ｂとは接している。そのため、電源操作部本体８ｃは本体制御部１４に対して導通情報を供給する。この状態では、本体制御部１４がテレビジョンカメラ本体２に対して電源を供給する指示を出力する結果、テレビジョンカメラ本体２は撮影可能状態となり、撮影者は撮影を実施できる。さらにこのとき、撮影者は遮光環体１０を遮光環体撮影状態に移動させることで、不用光を遮断した状態とし、この状態で撮影を実施することができる。
【００３５】
撮影が終了すると、撮影者は、遮光環体１０を鏡胴４に対してその軸方向に沿って相対移動させることで、遮光環体１０の位置を遮光環体撮影状態から遮光環体収納状態に移動させる。この状態で、さらに、撮影者は鏡胴４をテレビジョンカメラ本体２に対して相対移動させることで、鏡胴４の位置を鏡胴撮影状態から鏡胴収納状態に移動させる。すると、電源操作部８においては、第１の接点８ａと第２の接点８ｂとが離間して非導通状態となる。そのため、電源操作部本体８ｃは本体制御部１４に対して非導通情報を供給する。非道通情報を受けた本体制御部１４は、テレビジョンカメラ本体２に対して電源の供給を停止する指示を出力する結果、テレビジョンカメラ本体２は撮影不能状態となる（図２（ａ）参照）。
【００３６】
撮影を再度開始する場合には、撮影者は、鏡胴４をテレビジョンカメラ本体２に対して相対移動させることで、鏡胴４の位置を鏡胴収納状態から鏡胴撮影状態に移動させる。すると、電源操作部８においては、第１の接点８ａと第２の接点８ｂとが接して導通状態となる。そのため、電源操作部本体８ｃは本体制御部１４に対して導通情報を供給する。道通情報を受けた本体制御部１４は、テレビジョンカメラ本体２に対して電源の供給を開始する指示を出力する結果、テレビジョンカメラ本体２は撮影可能状態となる（図２（ｂ）参照）。
【００３７】
さらに撮影者は、遮光環体１０を鏡胴４に対してその軸方向に沿って相対移動させることで、遮光環体１０の位置を遮光環体収納状態から遮光環体撮影状態に移動させる。これにより、撮影者は不用光を遮断した状態で撮影を実施することが可能となる（図２（ｃ）参照）。このとき、カメラ操作部９は、鏡胴４の突出に伴ってテレビジョンカメラ本体２から露出した状態となる。そのため、撮影者はテレビジョンカメラ本体２から露出した第１の切換スイッチ９ｂ１を操作することで、焦点位置移動操作や露出調整操作の切換をしたうえて、操作リング９ａ（遮光環体１０）を回動操作することで、選択した操作を実施することができる。焦点位置移動操作を実施する場合における手動／自動の切換は、第２の切換スイッチ９ｂ２を操作することで容易に行うことができる。このとき焦点位置の自動調整操作を選択した場合には、遮光環体１０の操作は実施されない。焦点位置の手動調整操作を選択した場合には、遮光環体１０の操作が実施される。
【００３８】
また、テレビジョンカメラ１においては、焦点位置移動操作と露出調整操作とを同一の遮光環体１０により実施される。そのため、撮影者にとって手馴れた従前の操作手順（回転リング操作）のままで、焦点位置移動操作と露出調整操作とを切り換えつつ操作することが可能となる。
【００３９】
本実施形態のテレビジョンカメラ１では、鏡胴収納状態において鏡胴４は、テレビジョンカメラ本体２の内部に収納されてテレビジョンカメラ本体２から突出しない状態となる。そのため、非撮影時におけるテレビジョンカメラ１の小型化を図ることができる。しかも、不用意な衝撃がテレビジョンカメラ１に付与されやすい非撮影時（搬送時等）においても、複雑で破損しやすい光学部品を多数組み込んで構成された鏡胴４の破損を確実に防止することができる。
【００４０】
さらにこのとき、カメラ操作部９は、鏡胴４の後退に伴ってテレビジョンカメラ本体２内に入り込んだ状態となる。そのため、撮影者はテレビジョンカメラ本体２に入り込んだカメラ操作部９を操作することは不可能となり、誤操作が確実に防止される。
【００４１】
第２の実施形態
図３は本発明の第２の実施形態のテレビジョンカメラ２０の構成およびその動作を示す図である。図３（ａ）は鏡胴収納状態を示し、図３（ｂ）は第１の鏡胴撮影状態を示し、図３（ｃ）は第２の鏡胴撮影状態を示す。
【００４２】
テレビジョンカメラ２０は、基本的には第１の実施形態のテレビジョンカメラ１と同様の構成を備えており、同一ないし同様の部分には同一の符号を付し、それらに付いての説明は省略する。テレビジョンカメラ２０は、電源操作部８に替えて電源操作スイッチ２１を備えており、さらには、新たに鏡胴移動機構２２を有している。
【００４３】
電源操作スイッチ２１は、テレビジョンカメラ本体２の表面に配置されており、撮影者により操作されるスイッチである。電源操作スイッチ２１は、操作者により操作された電源入操作と電源切操作とを検知し、その操作情報を本体制御部１４に通知する。
【００４４】
鏡胴移動機構２２は、駆動電動機２３と、第１の伝動ギア２４と、第２の伝動ギア２５と、伝動ラックギア２６とを備えている。第１の伝動ギア２４は、駆動電動機２３の駆動軸に取り付けられたカサ歯車から構成されている。第２の伝動ギア２５は、第１歯車２５ａと第２歯車２５ｂとを備えている。第１歯車２５ａは第１の伝動ギア２４と噛み合うカサ歯車から構成されている。第２歯車２５ｂはピニオンギアから構成されている。伝動ラックギア２６は、鏡胴４の周面にその軸方向沿って配置されており第２歯車２５ｂに噛み合っている。
【００４５】
以下、テレビジョンカメラ２０による鏡胴４の移動操作を説明する。非撮影状態においては、鏡胴４がテレビジョンカメラ本体２内に入り込んだ鏡胴収納状態となっている。このとき、電源操作スイッチ２１は切操作状態となっている。この状態では、本体制御部１４がテレビジョンカメラ本体２に対して電源を供給しない指示を出力する結果、テレビジョンカメラ本体２は非撮影可能状態となる。
【００４６】
撮影を開始する場合、撮影者は、電源操作スイッチ２１を入操作する。すると、電源操作スイッチ２１は本体制御部１４に電源入情報を供給する。電源入情報を受けた本体制御部１４は、まず、駆動電動機２３に電源を供給する。電源の供給を受けた駆動電動機２３は回転駆動する。その回転駆動が第１の伝動ギア２４と第２の伝動ギア２５を介して伝動ラックギア２６に伝動されることで、伝動ラックギア２６と一体となった鏡胴４は、その軸方向に沿って直線移動する。このとき、駆動電動機２３の回転方向は、鏡胴４がテレビジョンカメラ本体２から進出する方向となる方向に設定されている。そのため、鏡胴４は、自動的に鏡胴撮影状態となるまでテレビジョンカメラ本体２から突出する（図３（ｂ）参照）。駆動電動機２３への電源供給は、鏡胴４が鏡胴撮影状態となるまで継続されたのち停止される。このとき、同時に本体制御部１４はテレビジョンカメラ本体２に対して電源の供給を開始する指示を出力する。その結果、テレビジョンカメラ本体２は撮影可能状態となる。
【００４７】
さらに撮影者は、遮光環体１０を鏡胴４に対してその軸方向沿って相対移動させることで、遮光環体１０の位置を遮光環体収納状態から遮光環体撮影状態に移動させる。これにより、撮影者は不用光を遮断した状態で必要に応じて遮光環体１０を回転操作することで各種のカメラ操作を行うながら撮影を実施することが可能となる（図３（ｃ）参照）。
【００４８】
撮影が終了すると、撮影者は、電源操作スイッチ２１を切操作する。すると、電源操作スイッチ２１は本体制御部１４に電源切情報を供給する。電源切情報を受けた本体制御部１４は、まず、駆動電動機２３に電源を供給する。このときの電源は、電源入時における電源とは極性が逆の電源となる。電源の供給を受けた駆動電動機２３は回転駆動する。その回転駆動が第１の伝動ギア２４と第２の伝動ギア２５を介して伝動ラックギア２６に伝動されることで、伝動ラックギア２６と一体となった鏡胴４は、その軸方向に沿って直線移動する。このとき、駆動電動機２３の回転方向は、鏡胴４がテレビジョンカメラ本体２内に入り込む方向に設定されている。そのため、鏡胴４は、自動的に鏡胴収納状態となるまでテレビジョンカメラ本体２内に入り込む（図３（ａ）参照）。駆動電動機２３への電源供給は、鏡胴４が鏡胴収納状態となるまで継続されたのち停止される。鏡胴４が鏡胴収納状態となる時点で、本体制御部１４はテレビジョンカメラ本体２に対して電源の供給を停止する指示を出力する。その結果、テレビジョンカメラ本体２は撮影不能状態となる。
【００４９】
さらに撮影者は、遮光環体１０を鏡胴４に対してその軸方向沿って相対移動させることで、遮光環体１０の位置を遮光環体撮影状態から遮光環体収納状態に移動させる。これにより、遮光環体１０もテレビジョンカメラ本体２に収納された状態となり、収納状態（非撮影状態）でのテレビジョンカメラ２０の小型化が促進されるうえに、不用意な衝撃がテレビジョンカメラ１に付与されやすい非撮影時（搬送時等）においても、複雑で破損しやすい光学部品を多数組み込んで構成された鏡胴４の破損を確実に防止することができる。
【００５０】
さらにこのとき、カメラ操作部９は、鏡胴４の後退に伴ってテレビジョンカメラ本体２内に入り込んだ状態となる。そのため、撮影者はテレビジョンカメラ本体２に入り込んだカメラ操作部９を操作することは不可能となり、誤操作が確実に防止される。
【００５１】
さらにテレビジョンカメラ２０では、鏡胴４の移動操作（収納状態／撮影状態）を駆動電動機２３により自動的に行うために、その分操作性が向上する。
【００５２】
第３の実施形態
図４は本発明の第３の実施形態のテレビジョンカメラ３０の構成およびその動作を示す図である。図３（ａ）は鏡胴収納状態を示し、図３（ｂ）は鏡胴撮影状態を示す。
【００５３】
テレビジョンカメラ３０は、基本的には第２の実施形態のテレビジョンカメラ１と同様の構成を備えており、同一ないし同様の部分には同一の符号を付し、それらに付いての説明は省略する。テレビジョンカメラ３０は、鏡胴移動機構３１に特徴がある。
【００５４】
鏡胴移動機構３１は、第２の実施形態における駆動電動機２３と同一の構成（第１の伝動ギア２４，第２の伝動ギア２５，伝動ラックギア２６）を備えるうえに、さらに、第３の伝動ギア３２と、第４の伝動ギア３３と、伝動ラックギア３４とを備えている。第３の伝動ギア３２は、第２の伝動ギア２５の第２歯車２５ｂに噛み合っている。第４の伝動ギア３３は、第３の伝動ギア３２に噛み合っている。伝動ラックギア３４は、遮光環体１０の周面にその軸方向に沿って配置されており第４の伝動ギア３３に噛み合っている。回転する遮光環体１０の周面に設けられた伝動ラックギア３４とビデオカメラ本体２に固定配置された第４の伝動ギア３３とを噛み合わせるために、伝動ラックギア３４は、遮光環体１０の全周もしくは比較的小さなピッチ（第４の伝動ギア３３のギア幅より小さいピッチ）で多数形成されている。
【００５５】
以下、テレビジョンカメラ３０による鏡胴４の移動操作を説明する。非撮影状態においては、鏡胴４と遮光環体１０とはテレビジョンカメラ本体２内に入り込んだ鏡胴収納状態となっている（図４（ａ）参照）。このとき、電源操作スイッチ２１は切操作状態となっている。この状態では、本体制御部１４がテレビジョンカメラ本体２に対して電源を供給しない指示を出力する結果、テレビジョンカメラ本体２は撮影不能状態となる。
【００５６】
撮影を開始する場合、撮影者は、電源操作スイッチ２１を入操作する。すると、電源操作スイッチ２１は本体制御部１４に電源入情報を供給する。電源入情報を受けた本体制御部１４は、まず、駆動電動機２３に電源を供給する。電源の供給を受けた駆動電動機２３は回転駆動する。その回転駆動は第１の伝動ギア２４と第２の伝動ギア２５とを介して伝動ラックギア２６に伝動される。また、その回転駆動は第１の伝動ギア２４と第２の伝動ギア２５と第３の伝動ギア３２と第４の伝動ギア３３とを介して伝動ラックギア３４に伝動される。これにより、伝動ラックギア２６と一体となった鏡胴４は、その軸方向に沿って直線移動する。
【００５７】
さらに、このとき、伝動ラックギア３４と一体になった遮光環体１０は、その軸方向に沿って直線移動する。このとき、駆動電動機２３の回転方向は、鏡胴４と遮光環体１０とがテレビジョンカメラ本体２から進出する方向となる方向に設定されている。そのため、鏡胴４と遮光環体１０とは、自動的に鏡胴撮影状態／遮光環体撮影状態となるまでテレビジョンカメラ本体２から突出する（図４（ｂ）参照）。駆動電動機２３への電源供給は、鏡胴４が鏡胴撮影状態となるまで継続されたのち停止される。なお、鏡胴４が鏡胴撮影状態となる途中において、第４の伝動ギア３３と伝動ラックギア３４とは離間する。第４の伝動ギア３３と伝動ラックギア３４とが離間する際、遮光環体１０は、遮光環体撮影状態になる。
【００５８】
鏡胴撮影状態になると、同時に本体制御部１４はテレビジョンカメラ本体２に対して電源の供給を開始する指示を出力する。その結果、テレビジョンカメラ本体２は撮影可能状態となる。
【００５９】
撮影が終了すると、撮影者は、電源操作スイッチ２１を切操作する。すると、電源操作スイッチ２１は本体制御部１４に電源切情報を供給する。電源切情報を受けた本体制御部１４は、まず、駆動電動機２３に電源を供給する。このときの電源は、電源入時における電源とは極性が逆の電源となる。電源の供給を受けた駆動電動機２３は回転駆動する。その回転駆動が第１の伝動ギア２４と第２の伝動ギア２５とを介して伝動ラックギア２６に伝動されることで、伝動ラックギア２６と一体となった鏡胴４は、その軸方向に沿って直線移動する。このとき、駆動電動機２３の回転方向は、鏡胴４がテレビジョンカメラ本体２内に入り込む方向に設定されている。そのため、鏡胴４は、自動的に鏡胴収納状態となるまでテレビジョンカメラ本体２内に入り込む。駆動電動機２３への電源供給は、鏡胴４が鏡胴収納状態となるまで継続されたのち停止される。このとき、鏡胴４が鏡胴収納状態となる途中において、第４の伝動ギア３３と伝動ラックギア３４とは噛み合い、伝動ラックギア３４は、遮光環体１０が遮光環体収納状態となるまで鏡胴４に対して相対移動する。
【００６０】
鏡胴４が鏡胴収納状態となる時点で、本体制御部１４はテレビジョンカメラ本体２に対して電源の供給を停止する指示を出力する。その結果、テレビジョンカメラ本体２は撮影不能状態となる。
【００６１】
これにより、遮光環体１０もテレビジョンカメラ本体２に収納された状態となり、収納状態（非撮影状態）でのテレビジョンカメラ３０の小型化が促進されるうえに、不用意な衝撃がテレビジョンカメラ１に付与されやすい非撮影時（搬送時等）においても、複雑で破損しやすい光学部品を多数組み込んで構成された鏡胴４の破損を確実に防止することができる。
【００６２】
さらにこのとき、カメラ操作部９は、鏡胴４の後退に伴ってテレビジョンカメラ本体２内に入り込んだ状態となる。そのため、撮影者はテレビジョンカメラ本体２に入り込んだカメラ操作部９を操作することは不可能となり、誤操作が確実に防止される。
【００６３】
テレビジョンカメラ３０では、遮光環体１０の移動操作（収納状態／撮影状態）も駆動電動機３１により自動的に行うために、その分さらに操作性が向上する。
【００６４】
【発明の効果】
以上説明したように、本発明によれば、非撮影状態で取り回す際における形状が小さくなるうえに、鏡胴がテレビジョンカメラ周囲の他の部材に衝突して破損する恐れもなくなる。
【００６５】
また、非撮影状態ではカメラ操作部がテレビジョンカメラ本体から露出しなくなるために、撮影しない状態で取り回す際における誤操作を未然に防止することができる。
【００６６】
さらには、誤操作を鏡胴を収納することに連動して自動的に行えるようにしたので、確実に誤操作を防止することができるうえに、誤操作防止構造が複雑化することがない。
【図面の簡単な説明】
【図１】本発明の第１の実施形態のテレビジョンカメラの構成をそれぞれ示す側面図である。
【図２】第１の実施形態のテレビジョンカメラの操作状態をそれぞれ示す図である。
【図３】本発明の第２の実施形態のテレビジョンカメラの構成および操作状態をそれぞれ示す図である。
【図４】本発明の第３の実施形態のテレビジョンカメラの構成および操作状態をそれぞれ示す図である。
【符号の説明】
１  テレビジョンカメラ
２  テレビジョンカメラ本体
４  鏡胴
５  テープ格納部
６  ファインダ
７  液晶モニタ
８  電源操作部
８ａ  第１の接点
８ｂ  第２の接点
９  カメラ操作部
９ａ  操作リング
９ｂ  切換操作器
９ｂ１  第１の切換スイッチ
９ｂ２  第２の切換スイッチ
１０  遮光環体
１１  操作リング本体
１２  第１の噛み合い溝
１３  第２の噛み合い溝
１４  本体制御部
２０  テレビジョンカメラ
２１  電源操作スイッチ
２２  鏡胴移動機構
２３  駆動電動機
２４  第１の電動ギア
２５  第２の電動ギア
２５ａ  第１歯車
２５ｂ  第２歯車
２６  伝動ラックギア
３０  テレビジョンカメラ
３１  鏡胴移動機構
３２  第３の伝動ギア
３３  第４の伝動ギア
３４  伝動ラックギア
【図１】
2004309712.tif 000003
【図２】
2004309712.tif 000004
【図３】
2004309712.tif 000005
【図４】
2004309712.tif 000006